(57)【特許請求の範囲】
【請求項１】
閉蓋可能な周壁（２）に、上下方向に所定間隔をおいて配置された縦列（４）を周方向に所定の間隔をおいて複数列配列した多数の窓孔（３）が形成された容器体（１）内へ、揮散剤からなる粒状の内容物（２１）が収納された中空体（２０）を収納し、前記窓孔（３）を介して突刺し部材（Ｐ）により前記中空体（２０）を突刺すことによって、該中空体（２０）を破裂させて前記内容物（２１）を容器体（１）内で飛散可能に設け、前記窓孔（３）の大きさは下方に位置するものほど小さく形成されて、揮散によって大きさが減少した内容物（２１）が窓孔（３）から抜け出し不能に設けたことを特徴とする飛散物収納容器。
【請求項２】
前記容器体（１）は前記中空体（２０）の破裂により前記内容物（２１）の飛散状態を外部から視認可能な透明ないし半透明の材質から形成されていることを特徴とする請求項１に記載の飛散物収納容器。
【請求項３】
前記中空体（２０）はゴム状の球状体から形成され、また、前記内容物（２１）は固形状ないしゼリー状の物質からなることを特徴とする請求項１又は２記載の飛散物収納容器。
【発明の詳細な説明】
【技術分野】
【０００１】
本発明は、中空体の破裂により飛散可能な内容物が入った中空体が収納される容器、特に内容物として芳香剤または消臭剤等の揮散剤が入った中空体が収納された飛散物収納容器に関する。
【背景技術】
【０００２】
容器体に収納された芳香剤等から揮散する芳香等を、容器体周壁等に形成した窓孔から放出可能に設けた収納容器は周知である (特許文献１)。
【特許文献１】特開２００６−２３２３７５号公報
【発明の開示】
【発明が解決しようとする課題】
【０００３】
芳香剤等が揮散により消失した場合、詰替え容器から詰替え用の芳香剤等を取り出して収納容器に収納することで詰替えを行うのが通常であるが、芳香剤等に直接手で触れたくない場合には、詰替え容器から直接収納容器に移し替える必要がある等、詰替えが容易ならざるものとなっていた。また、詰替えに興趣をもたせる要請もあった。
【０００４】
本発明の主たる目的は、詰替えに興趣をもたせることが可能な飛散物収納容器を提供することにある。
【０００５】
本発明のさらなる他の目的は、内容物に直接手で触れることなく詰替えが可能な飛散物収納容器を提供することにある。
【０００６】
本発明のさらなる他の目的は、芳香剤等の揮散剤が揮散によって小さくなっても容器体に設けた窓孔から抜出し不能な飛散物収納容器を提供することにある。
【課題を解決するための手段】
【０００７】
本発明は、閉蓋可能な周壁２に、上下方向に所定間隔をおいて配置された縦列４を周方向に所定の間隔をおいて複数列配列した多数の窓孔３が形成された容器体１内へ、揮散剤からなる粒状の内容物２１が収納された中空体２０を収納し、前記窓孔３を介して突刺し部材Ｐにより前記中空体２０を突刺すことによって、該中空体２０を破裂させて前記内容物２１を容器体１内で飛散可能に設け、前記窓孔３の大きさは下方に位置するものほど小さく形成されて、揮散によって大きさが減少した内容物２１が窓孔３から抜け出し不能に設けたことを特徴とする。
【０００８】
また、本発明は、前記容器体１は前記中空体２０の破裂により前記内容物２１の飛散状態を外部から視認可能な透明ないし半透明の材質から形成されていることを特徴とする。
【０００９】
さらに、本発明は、前記中空体２０はゴム状の球状体から形成され、また、前記内容物２１は固形状ないしゼリー状の物質からなることを特徴とする。
【発明の効果】
【００１２】
本発明は、中空体が破裂して内容物が飛散するため、詰替えに興趣をもたせることができる。
【００１３】
また、本発明は、容器体内へは内容物が収納された中空体を収納するため、詰替え時に内容物を直接手に触れる必要がなく、このため詰替えが容易である。
【００１４】
さらに、本発明は、窓孔３の大きさは下方に位置するものほど小さく形成されているので、揮散により揮散剤が小さくなっても窓孔３から抜け出ることがない。
【発明を実施するための最良の形態】
【００１５】
図１において、１は容器体で、底板によって底面が閉塞された周壁２には、透孔からなる多数の窓孔３が形成されている。窓孔３は上下方向に所定の間隔をおいて配置された縦列群４を周方向に所定の間隔をおいて複数列配列したもので、後述する理由により、その大きさは下方に位置するものほど小さく形成されており、また、上下に隣接する窓孔間の上下方向の間隔Ｌは下方に向かうほど大きくなっている。
【００１６】
本実施形態では、窓孔３は周方向に長い矩形状に形成されている。このように矩形状にする場合には、下方に位置する窓孔３の上下幅を上方に位置するものよりも小さくする。
【００１７】
このように上下幅を変えることで窓孔３の大きさを変えてもよいが、これに限らず周方向の長さを変えることで窓孔３の大きさを変えることも可能である。要するに、窓孔３の大小は開口面積を変えることによって決定すればよく、特に上記に限定されることはない。
【００１８】
もちろん窓孔３の形状は矩形状に限定されることなく、楕円形状等種々の形状が採用可能である。また、窓孔３の他にピン等の突刺し部材Ｐを挿入するための専用の透孔を任意の位置に設けてもよい。
【００１９】
１０は蓋体で周壁２の上面開口を閉蓋するためのものである。なお、容器体１と蓋体１０とは透明または半透明の材質で形成するのが好ましい。
【００２０】
２０は中空体で、ゴム製の球状体から形成されている。本実施形態ではエラストマーからなるゴム球を使用するが、これに限定されることなく、ピン等を突刺すことによって破裂可能な材質であれば他の材質を採用することも可能である。
【００２１】
このゴム球の中には内容物として、１つ以上の芳香剤または消臭剤等の揮散剤２１が収納されている。揮散剤は球形状のものを通常使用するが、これに限らず粒状であれば他の形状のものも使用可能である。
【００２２】
また、揮散剤２１は固形状でもよく、あるいはゼリー状でもよい。なお、球形状のものを使用する場合には、球径は５〜１０ｍｍ前後が適当である。その他の形状の場合でもこれに相当する程度の大きさのものを使用する。
【００２３】
ゴム球からなる中空体２０をピン等で突刺すことによって破裂可能にするには、まず中空体２０の口部から中空体内に内容物としての揮散剤２１を収納した後、空気または適当なガスを封入して口部を封印する。
【００２４】
具体的には、中空体２０内に液体の芳香剤または消臭剤と吸水性ポリマーとを封入すればよく、すると吸水性ポリマーが芳香剤等を吸水して膨張することにより、ゴム球からなる中空体２０がピン等による突刺しにより破裂可能な程度にまで膨らむ。口部は紐状の物で縛結してもよく、あるいは溶着によって封印してもよい。
【００２５】
次に作用について説明する。容器体１内の揮散剤２１が揮散によって消失した場合には、適当な容器、例えばパウチ等に収納されたゴム球からなる中空体２０を１つないし２つ取り出して、容器体１内に収納した後、蓋体１０で閉蓋する。
【００２６】
次いで、窓孔３または専用の透孔からピンないし爪楊枝等の突刺し部材Ｐを挿入してゴム球に突刺す。すると、ゴム球が破裂して揮散剤２１が容器体１内で飛散する。この飛散の様子は、容器体１が透明ないし半透明であるため、外部から見ることができる。
【００２７】
ゴム球の破裂後の状態を示すのが図３である。なお、図３はゴム球内に球形状の揮散剤２１が多数封入されていたものが破裂した状態を示すもので、揮散剤２１が１個の場合には容器体１内には１個の揮散剤２１のみが存在することになる。
【００２８】
揮散剤２１から揮散した芳香等は窓孔３から容器体１外へ放出される。揮散剤２１は揮散によりその大きさを減少させるため、多数の揮散剤２１群の高さレベルＨが次第に低下していく。
【００２９】
上記のように、窓孔３は下方に位置するものほど小さく形成されていると共に、上下に隣接する窓孔３間の上下方向の間隔Ｌも下方へ向かうに連れて大きくなっているから、揮散剤２１が小さくなっても窓孔３から容器体外へ抜け出ることがない。
【図面の簡単な説明】
【００３０】
【図１】本発明に係る飛散物収納容器に中空体を収納する状態を示す斜視図である。
【図２】飛散物収納容器に中空体を収納した状態を示す斜視図である。
【図３】中空体が破裂して揮散剤が飛散した状態を示す説明図である。
【符号の説明】
【００３１】
１  容器体
２  周壁
３  窓孔
２０  中空体
２１  揮散剤(内容物)
Ｐ  突刺し部材
【図１】
0005057385.tif 000002
【図２】
0005057385.tif 000003
【図３】
0005057385.tif 000004